(57)【要約】一実施形態では、機器が追跡発呼端末および被追跡被呼側端末を有する電気通信ネットワークと、予め決められた境界を有する少なくとも１つの予め決められたエリアに関連するポーリングされるジオフェンシング・システムとを有してもよく、被追跡被呼側端末が、予め決められた境界に関連する位置を有し、少なくとも第１の予め決められたリングバック・トーンおよび第２の予め決められたリングバック・トーンが、少なくとも１つの予め決められた境界と機能的関係を有し、被追跡被呼側端末が予め決められた境界の中にある場合は、第１の予め決められたリングバック・トーンが利用され、被追跡被呼側端末が予め決められた境界の外にある場合は、第２のリングバック・トーンが利用され、少なくとも第１の予め決められたリングバック・トーンおよび第２の予め決められたリングバック・トーンが、指定された被追跡被呼側端末と追跡発呼端末との間にセットアップされた呼の間に、被追跡被呼側端末の、ポーリングされるジオフェンシング・システムによって判定された予め決められた境界に関連する位置を、追跡発呼端末に知らせる。
2009539315.tif 000002
【特許請求の範囲】
【請求項１】
追跡発呼端末および被追跡被呼側端末を有する電気通信ネットワークと、
予め決められた境界を有する少なくとも１つの予め決められたエリアに関連するポーリングされるジオフェンシング・システムとを備え、前記被追跡被呼側端末が前記予め決められた境界に関連する位置を有し、さらに、
前記少なくとも１つの予め決められた境界と機能的関係を有する少なくとも第１の予め決められたリングバック・トーンおよび第２の予め決められたリングバック・トーンを備え、前記被追跡被呼側端末が前記予め決められた境界の中にある場合は、前記第１の予め決められたリングバック・トーンが利用され、前記被追跡被呼側端末が前記予め決められた境界の外にある場合は、第２の予め決められたリングバック・トーンが利用される、機器であって、
前記少なくとも第１のおよび第２の予め決められたリングバック・トーンが、指定された被追跡被呼側端末と追跡発呼端末との間の呼セットアップ中に、被追跡被呼側端末の、前記ポーリングされるジオフェンシング・システムによって判定された前記予め決められた境界に関連する位置を、前記追跡発呼端末に知らせる、機器。
【請求項２】
前記ジオフェンシング・システムが位置ベースのアプリケーションを備える、請求項１に記載の機器。
【請求項３】
前記ジオフェンシング・システムがＧＰＳシステムを備える、請求項１に記載の機器。
【請求項４】
前記予め決められたエリアが、前記境界の中のエリアおよび境界の外のエリアを定義する閉鎖エリアである、請求項１に記載の機器。
【請求項５】
前記予め決められたエリアが経路であり、前記境界が前記経路の少なくとも１つのセグメントである、請求項１に記載の機器。
【請求項６】
リングバック・サービスが呼のためにアクティブであることを判定するステップと、
リングバック・トーン・プラットフォームに前記呼を出し、ジオフェンシングの適用可能性を判定するステップと、
被呼モバイル端末の位置決定を達成するステップと、
ジオフェンスに関して前記被呼モバイル端末の位置を判定するステップと、
前記被呼モバイル端末の前記位置に基づいて前記呼のために関連リングバック・トーンをプレイするステップとを備える方法。
【請求項７】
リングバック・サービスが呼のためにアクティブであることを判定する前記ステップが、
発呼側に被呼側の被呼側番号によって呼を出すステップを備え、前記発呼側が前記被呼側を追跡することができるようにされ、前記被呼側および前記発呼側が電気通信ネットワーク内にあり、さらに、
前記被呼側がローミングしており、サービス提供モバイル交換局によってサービスを提供されているかどうか、前記ネットワークによって判定するステップと、
「専用リングバック」サービスが前記被呼側のためにアクティブであることを示す前記被呼側のためのホーム位置レジスタからの応答を前記ネットワークによって受信するステップとを備える、請求項６に記載の方法。
【請求項８】
リングバック・トーン・プラットフォームに前記呼を出し、ジオフェンシングの適用可能性を判定する前記ステップが、
指定された（追跡）発呼側だけのために、前記被呼側が特定の境界の中にある場合は、第１の予め決められたリングバック・トーンがプレイされ、前記被呼側が前記特定の境界の外にある場合は、第２のリングバック・トーンがプレイされるステップと、
前記第１のトーンと前記第２のトーンのどちらかを選択するために、リングバック・アプリケーションがＴＣＰ／ＩＰリンクを介して位置ベースのアプリケーションにクエリを出すステップとを備える、請求項７に記載の方法。
【請求項９】
被呼モバイル端末の位置決定を達成する前記ステップが、
前記位置ベースのアプリケーションが、モバイル測位センタ／ゲートウェイ・モバイル・ロケーション・センタにＡＰＩ呼を出すことによって、前記被呼側装置を測位するステップと、
モバイル測位センタ／ゲートウェイ・モバイル・ロケーション・センタが、測位されるべき前記被呼モバイル端末の位置決定を達成するためにサービス提供モバイル交換局ならびに前記被呼モバイル端末上のＧＰＳ受信機からデータを供給される位置判定機器と相互作用するステップと、
地理座標（緯度／経度）のフォーマットでの結果としての位置が前記クエリを出した位置ベースのアプリケーションに送信し返されるステップとを備える、請求項８に記載の方法。
【請求項１０】
前記ジオフェンスに関して前記被呼モバイル端末の位置を判定する前記ステップが、
追跡されている前記移動端末の前記位置が利用可能になった後は、前記位置ベースのアプリケーションが前記発呼側によって定義された境界を検査するステップと、
前記被呼側が前記定義された境界の中にあるか、または前記定義された境界の外にあるか判定するステップと、
ＴＣＰ／ＩＰインターフェースで前記呼コントローラに前記判定を返すステップとを備える、請求項９に記載の方法。
【発明の詳細な説明】
【技術分野】
【０００１】
本発明は、一般に、ポーリングされるジオフェンシング法に関し、詳細には、被追跡または被フェンシング側を呼び出すときの区別されるリングバック・トーンの使用に関する。
【背景技術】
【０００２】
本発明のリングバック・トーンは、（友人および家族を含めて）発呼側が楽しむための通常のリングバック・トーンに取って代わるパーソナライゼーション・サービスを提供する。このサービスでは、加入者は、例えば自分が電話に出る前に発呼者が聞く歌を選択することができる。歌は、「呼出し」フェーズとしても知られている呼設定段階でプレイする。
【０００３】
通常、リングバック・トーンは、電話で、およびテキスト・メッセージによって、インターネットを介して購入されることができる。いくつかのサービスは、（特定のＮＰＡなどから発呼者のために、特定の時間中に、特定の曜日に、日付範囲内になど）条件付きでプレイされる一意のリングバック・トーンを指定する機能を提供することができる。デフォルト・リングバック・トーンが、全ての他の時間中にプレイされることができる。リングバック・トーンは、例えば、ラップ／ヒップホップ、ポップ、ロック、Ｒ＆Ｂ、オルタナティブ、メタル、クラシックロック、サウンドトラックおよびテーマ、カントリー、ボイス・トーン、ダンス、電子、フォーク、６０年代、７０年代、８０年代、オールディーズ、ブルース、ジャズ、インスピレーション、ワールド、ラテン、ホリデイ、スポーツ、ＴＶ／ムービー、ＶＨ１、コメディ・セントラルなど、様々な音楽ジャンルのために提供されることができる。また、一意のリングバック・トーンが、特定の発呼者または発呼者のグループのために指定されることができる。
【０００４】
専用リングバック・トーンが、２、３年前に無線および有線電気通信サービス・プロバイダのために導入された。通常、これらのサービス・プロバイダは、加入者が何万ものリングバック・トーンを保持するリポジトリから専用リングバック・トーンを選ぶことができるようにする。上記は、このサービスがコンシューマまたはマスマーケット向けであることを示す。
【０００５】
ジオフェンスは、例えば、顧客のモバイル・アセット（資源）がローミング（あちこち動く）することを許可される１つまたは複数の地理的境界である。ジオフェンス境界は、閉多角形または半径である。アセットが境界の中にある場合は、ユーザはジオフェンスを順守しており、アセットが境界の外にある場合は、ユーザはジオフェンスに違反している。
【発明の開示】
【発明が解決しようとする課題】
【０００６】
リングバック・サービスとは逆に、ジオフェンシングは、ユーザのそれぞれ異なるセグメント向けである。一般に、例えば、移動中の特定の人または物体を追跡することは、デスクトップ、または携帯型スマート・デバイスの使用を必要とする。これは、非常に技術的なアプリケーションであり、一般に、一般の人々には適しないと考えられる。
【課題を解決するための手段】
【０００７】
本方法および機器の一実施形態は、機器を含む。この実施形態では、機器は、予め決められた境界を有する少なくとも１つの予め決められたエリアに関連するポーリングされるジオフェンシング・システムと、少なくとも１つの予め決められた境界と機能的関係を有する少なくとも１つの予め決められた専用リングバック・トーンとを備えることができ、少なくとも１つの予め決められた専用リングバック・トーンが、指定された発呼側に、指定された発呼側と被呼側との間の呼設定中に、ポーリングされるジオフェンシング・システムによって判定された少なくとも１つの予め決められた境界に関する被呼側の位置を知らせる。
本方法および機器の他の実施形態は、方法を包含する。本方法のこの実施形態は、リングバック・サービスが呼のためにアクティブであることを判定するステップと、リングバック・トーン・プラットフォームに呼を出し、ジオフェンシングの適用可能性を判定するステップと、被呼モバイル端末の位置決定を達成するステップと、ジオフェンスに関して被呼モバイル端末の位置を判定するステップと、被呼モバイル端末の位置に基づいて呼のために関連リングバック・トーンをプレイするステップとを備えることができる。
【０００８】
本発明の例示的実施形態の特徴は、発明を実施するための最良の形態、特許請求の範囲、添付の図面から明らかになるであろう。
【発明を実施するための最良の形態】
【０００９】
ＣＤＭＡネットワークは、本方法および機器の本実施形態における一例として使用されるが、これはいくつかの可能な実施形態のうちの１つに過ぎない。本開示は、他のネットワークにも等しく適用される。これらのネットワークは、ＧＳＭ／ＧＰＲＳ／ＵＭＴＳネットワークから、調和された３ＧＰＰ／３ＧＰＰ２  ＩＭＳネットワークまで様々である。本開示はまた、エアインターフェースに依存せず、したがって、利用可能なエアインターフェース、および開発されるより新しいインターフェースに等しく適用可能である。
【００１０】
ジオフェンシングは、地理情報システムおよび物体の位置のアプリケーションであり、予め定義されたエリアへの（または、エリアからの）物体の移動がアプリケーションのためのトリガとして使用される。アプリケーションは、（おおよその位置測定のための）セル測位から、（数メートルの精度の位置測定のための）全地球測位システムまで、様々な技法を使用して物体を測位することができる。予め定義されたエリアは、１組の座標（例えば、緯度、経度）による位置ベースのアプリケーションを使用して描かれる。この技法は、フリート（艦隊）管理の分野で使用され、複数のアプリケーション、例えば、州内／国内での使用だけのためにレンタルされたレンタル車両の追跡、特定のチェック・ポイントにおける出荷品追跡、高価な商品が予め定義された安全な経路だけで輸送されていることの保証などを有する。ジオフェンシングは、カジュアルな使用のための明白な選択ではない。
【００１１】
専用リングバック・トーンは、無線および有線電気通信サービス・プロバイダのために導入された。専用リングバック・トーンの使用は、加入者に、呼出し（呼設定）フェーズ中に発呼側が聞くものを定義させる。専用リングバック・トーンは、ポピュラー・ソングからのクリップから、映画からの有名な対話、パーソナライズされた自作のコンテンツまで、様々である。加入者は、異なる発呼者のための様々なリングバック・トーン、さらには、様々な曜日または日時などについて同じ発呼者のための様々なリングバック・トーンを、自由に定義することができる。ダウンロード可能なリングトーンとは異なり、リングバック・トーンは、発呼側によって経験され、ネットワークによってサービスを提供される（すなわち、それらは、エンドユーザ装置上に記憶されない）。リングバック・トーンは、まじめな使用のための明白な選択ではない。そうではなく、リングバック・トーンは、加入者の好みに流行のメッセージおよび知る機会を提供する。
【００１２】
本方法および機器の諸実施形態は、リングバック・トーンのまじめな使用と結合されたジオフェンシングのカジュアルな使用のための有用なアプリケーションを提供するためにこれら２つの要素を結合する。このアプリケーションは、被追跡モバイル装置にジオフェンシング機能を提供し、境界内／境界外の状況を示す。
【００１３】
図１は、本方法およびアプリケーションの一実施形態が利用される電気通信ネットワーク１００を示す。電気通信ネットワーク１００の関連部分だけが図示されている。発信モバイル交換局（Ｏ−ＭＳＣ）１０２は、少なくともデータベース１０６を介してサービス提供モバイル交換局（Ｓ−ＭＳＣ）１０４に動作可能に結合されることができる。Ｓ−ＭＳＣ１０４はまた、公衆交換電話網（ＰＳＴＮ）１０８に動作可能に結合されることができる。追跡発呼端末１１０は、Ｏ−ＭＳＣ１０２に動作可能に結合されることができ、被追跡被呼側端末１１２は、Ｓ−ＭＳＣ１０４に動作可能に結合されることができる。これは、被呼側がＯ−ＭＳＣ１０２によってサービスを提供されるホーム領域にないローミング・シナリオを表す。
【００１４】
通常、サービス・プロバイダは、いくつかの理由でＯ−ＭＳＣ１０２にリングバック・アプリケーション１１４と対話させることを好む。すなわち、リングバック・トーンが発呼側に、より迅速に提供され、Ｓ−ＭＳＣ１０４機能に依存する必要がないからであり、これは、複数のサービス・プロバイダ間のローミング契約を考慮に入れると、特に重要である。したがって、リングバック・トーン・アプリケーション１１４は、Ｓ−ＭＳＣ１０４ではなく、Ｏ−ＭＳＣ１０２に動作可能に結合される。図示されているように、リングバック・アプリケーション１１４は、ＴＣＰ／ＩＰ（伝送制御プロトコル／インターネット・プロトコル）インターフェース１２０を介してサービス管理システム１２４内の供給およびトーン・データベース・マネージャ１２２に動作可能に結合された呼制御およびプレイング・トーン・モジュール１１８を有することができる。
【００１５】
位置ベースのアプリケーション１２６は、ＴＣＰ／ＩＰを介して呼制御およびプレイング・トーン・モジュール１１８に動作可能に結合されることができる。位置ベースのアプリケーション１２６は、データベース１２８に動作可能に結合されることができる。位置ベースのアプリケーション１２６はまた、図１に示されているようにＴＣＰ／ＩＰおよびＳＳ７メッセージングを使用してモバイル測位センタ（ＭＰＣ）／ゲートウェイ・モバイル・ロケーション・センタ（ＧＭＬＣ）１３０および位置判定機器（ＰＤＥ）／サービス・モバイル・ロケーション・センタ（ＳＭＬＣ）１３２を介してＳ−ＭＳＣ１０４に動作可能に結合されることができる。ＳＲＳ（共有登録サービス）データ・センタ１３４は、ＧＰＳ衛星１４０、１４２、１４４からの位置情報を記憶するデータベース１３６、１３８を有することができる。ルータ１４６は、ＳＲＳデータ・センタ１３４をＴＣＰ／ＩＰを介してＰＤＥ／ＳＭＬＣ１３２に動作可能に結合する。
【００１６】
区別されるリングバック・トーンと結合されたポーリングされるジオフェンシングの技法は、予め定義されたエリアまたは境界と比較して追跡される被呼側の位置を示す可聴リングバック・トーンを介して、呼設定（呼出し）フェーズ中に、指定された発呼側に被呼側の所在を知らせる。例えば、親が、最近車を運転し始めた十代の息子に対して境界として１０マイルの半径を課すこともできるであろう。親が、この十代の息子が持っている携帯電話に呼を出した場合、専用リングバック・トーンは、その親に、被呼装置が課された境界内にあるか、またはその境界外にあるかを示すことができる。同様に、親は、十代の息子が学校に行くときに通るべき経路を指定することができ、安全性を確認するために定期的にチェックすることができ、リングバック・トーンは、指定された経路が通られているかどうか示すことができる。いくつかの他の場合には、被呼（被追跡）側は、自分の位置が知られていないので、あるいは、自分がこの事実を発呼側に提供することができるようにされていないので、自分の位置を暴露することができる立場にないことがある。そのような場合にも、発呼側は、契約され、予め定義された経路が、被呼側によって通られているかどうか迅速な判定をすることができる。
【００１７】
例えば、図２は、境界２０４を有するエリア２０２を示す。図示されているように、被追跡被呼側端末２０６は、現在、境界２０４の中にある。
【００１８】
図３は、被追跡被呼側端末３０６がそれに沿って移動する予め決められた経路３０４を有する地図３０２を示す。
【００１９】
図４は、本方法の一実施形態を示す。この実施形態は、リングバック・サービスが呼のためにアクティブであることを判定するステップ（４０１）と、リングバック・トーン・プラットフォームに呼を出し、ジオフェンシングの適用可能性を判定するステップ（４０２）と、被呼モバイル端末の位置決定を達成するステップ（４０３）と、ジオフェンスに関して被呼モバイル端末の位置を判定するステップ（４０４）と、被呼モバイル端末の位置に基づいて呼のために関連リングバック・トーンをプレイするステップ（４０５）とを有することができる。
【００２０】
図５は、リングバック・サービスが呼のためにアクティブであることを判定する図４のステップを示す。
【００２１】
本方法および機器のこの実施形態では、被呼モバイル端末などの被呼側、および発呼側モバイル端末などの発呼側は、ＣＤＭＡ無線ネットワークの一部分であってもよい。被呼側を追跡することができるようにされている発呼側は、被呼側番号に呼を出す（５０１）。「専用リングバック」サービスは、ホーム・ロケーション・レジスタ（ＨＬＲ）から受信された応答に基づいて、被呼側のためにアクティブである（５０３）。実際には、ネットワークは、アクティブ・トリガがあることを知っているだけである。ネットワークは、トリガがリングバック・サービスを意味するか、または何か他の処理を意味するか知らない。したがって、ネットワークは、「専用リングバック」サービスが被呼側のためにアクティブであるかないかを本当に知ることができない。例えば、呼の到着時に、発信モバイル交換局は、モバイル終了トリガを検出し、被呼モバイル端末に関連するＨＬＲへのＬｏｃａｔｉｏｎＲｅｑｕｅｓｔインボーク・メッセージを起動する。ＨＬＲが、ＴｒｉｇｇｅｒＡｄｄｒｅｓｓＬｉｓｔにＡｄｖａｎｃｅｄＴｅｒｍｉｎａｔｉｏｎＴｒｉｇｇｅｒ（ＡＴＴ）を有するＬｏｃａｔｉｏｎＲｅｑｕｅｓｔリターン・リザルト・メッセージを返した場合、Ｏ−ＭＳＣは、識別された呼コントローラ・プラットフォームへのＡｎａｌｙｚｅｄＩｎｆｏｒｍａｔｉｏｎインボーク・メッセージを起動する。呼コントローラ、例えば、「ＳＮ／ＩＰ」（サービス・ノード／インテリジェント機器）は、呼処理を扱い、呼が、専用リングバック・トーンが呼のためにプレイされることを保証することを判定する。
【００２２】
図６は、リングバック・トーン・プラットフォームに呼を出し、ジオフェンシングの利用可能性を判定する図４のステップを示す。
【００２３】
リングバック・トーン判定は、条件付きでも、または無条件でもよい。本実施形態では、リングバック・トーン判定は、以下のように表されることができる。指定された（追跡）発呼側だけのために、被呼側が特定の境界の中にある場合は、第１の予め決められたリングバック・トーンがプレイされ、被呼側が特定の境界の外にある場合は、第２のリングバック・トーンがプレイされる（６０１）。この段階で、リングバック・アプリケーションは、それが、第１のトーンと第２のトーンのどちらかを選択するために、ジオフェンシング・アプリケーションを必要とするであろうことを「知る」。次いで、リングバック・アプリケーションは、ＴＣＰ／ＩＰリンクを介して位置ベースのアプリケーションにクエリを出す（６０２）。
【００２４】
図７は、被呼モバイル端末の位置決定を達成する図４のステップを示す。「ジオフェンシング」アプリケーションは、フェンス(境界)を提供するだけであって、位置決定はこのアプリケーションによっては達成されないことを理解されたい。
【００２５】
位置ベースのアプリケーションは、ＭＰＣ／ＧＭＬＣにＡＰＩ呼を出すことによって、
被呼側装置を測位する（７０１）。ＭＰＣ／ＧＭＬＣは、測位されるべき被呼モバイル端末の位置決定を達成するためにＳ−ＭＳＣ（いくつかの場合には、「在宅」モバイル加入者のためのＯ−ＭＳＣでもよい）ならびにモバイル端末上のＧＰＳ受信機からデータを供給されるＰＤＥと相互作用する（７０２）。地理座標（緯度／経度）のフォーマットでの結果としての位置が、クエリを出した位置ベース・アプリケーションに送信し返される（７０３）。
【００２６】
図８は、ジオフェンスに関して被呼モバイル端末の位置を判定する図４のステップを示す。
【００２７】
追跡されているモバイル端末の位置が利用可能になった後は、位置ベースのアプリケーションは、発呼側（追跡を開始する側）によって定義され、（被呼側は、最初に発呼側の情報を自分のプロフィールに入力せずに追跡されることに同意しないであろうから）、被呼側によって暗黙のうちに同意された境界を検査する（８０１）。一般性を失うことなく、本明細書では、境界の定義は、半径（例えば、予め決められた地点からの予め決められたマイル数）を定義するのと同じぐらい簡単でもよく、あるいは、被追跡側に関して正確な移動経路を指定するのと同じぐらい複雑でもよいと仮定される。そのような境界の定義のモードは、例えば、デスクトップ・デバイスまたは携帯型デバイスから判定されることができる。そのような境界の記憶のコンテンツおよびモードは、データを記憶する様々な方法の場合と同様に、多くの様々な形を取ることができる。位置ベースのアプリケーションでは、被追跡側に関連する追跡側によって定義された境界の存在を想定すれば十分である。
【００２８】
ジオフェンス境界は、通常、１組の地理座標（緯度／経度）と定義される。ジオフェンシング計算のために、境界が１組のストリート・アドレスによって定義された場合、全てのストリート・アドレスが緯度および経度に幾何的コード化される。
【００２９】
ある実施形態では、被呼側が定義された境界の中にあるか、または定義された境界の外にあるかの判定は、効率のよいアルゴリズムを利用することができる（８０２）。様々な知られているアルゴリズムがこの目的のために使用されることができる。この判定の結果は、境界の中／境界の外の、二値でもよい。この結果は、ＴＣＰ／ＩＰインターフェースでリングバック・ソリューションをホストするＳＮ／ＩＰに返される（８０３）。
【００３０】
図９は、被呼モバイル端末の位置に基づいて呼のために関連リングバック・トーンをプレイする図４のステップを示す。
リングバック・アプリケーションが結果を取得した後は、第１のリングバック・トーンをプレイするべきか、または第２のリングバック・トーンをプレイするべきかが判定されることができる（９０１）。被追跡側が境界の中または境界の外にあることを発呼／追跡側が知るように、第１のトーンおよび第２のトーンが、本来は表示的であることができるということがここで理解されることができる。例えば、第１のトーンは、「Ｒｉｇｈｔ  ｈｅｒｅ  ｗａｉｔｉｎｇ  ｆｏｒ  ｙｏｕ」でもよく、第２のトーンは「Ｔｈｉｓ  ｂｉｒｄ  ｈａｓ  ｆｌｏｗｎ」でもよい。しかし、一般に、これは発呼側と被呼側との間の相互理解次第である。
【００３１】
ジオフェンシングは、上記で説明されたように、ユーザの様々な趣向集団向けである。一般に、移動中の（またはそれ以外の）特定の人または物体を追跡することは、デスクトップ（または、携帯型スマート・デバイス）の使用を必要とする。これは、非常に技術的なアプリケーションであり、一般に、普通の人々には適しないと考えられる。
【００３２】
それに対して、本方法および機器の諸実施形態は、被追跡側が予め決められた境界の中にあるかどうか追跡側に非常に容易に判定させる分かりやすいオーディオ・インターフェースを提供するために、ジオフェンシングおよびリングバック・トーンを結合する。追跡側は、コンピュータも、スマート・デバイスも使用する必要がない。可聴リングバック・トーンは、追跡側に追跡の結果を知らせるために、本来は表示的である。さらに、追跡側は、被追跡側の位置を判定するために何も念入りな準備をする必要がない。発呼側が知るためには、被呼側に電話をかけるだけでよい。
【００３３】
また、ターゲットを測位／追跡するために大量のネットワーク・クエリを生成することになる普及しているジオフェンシング法とは逆に、ここでは、発呼／追跡側は、被呼側を追跡するために、ポーリングとしても知られている、明確な呼を出す。そのようなポーリングの理論的根拠は、通常、追跡側は、例えば、期限が来たとき以外は、被呼側を絶えず追跡することを望まない可能性があることである。例えば、親は、午後１１時などの「門限」時間頃に十代の子供を追跡することを望む可能性がある。
【００３４】
リングバック・アプリケーションおよび位置ベースのアプリケーションの相乗効果は、どちらのサービスにも強制的な区別を提供する。それは、両方のサービスの相違を埋め、リングバックは、例えば、通常はリングバックおよびジオフェンシングのようなサービスの対象ではない十代の子供たちの親たちにとって、魅力的な提案になる。
【００３５】
一例では、本機器は、電子構成要素、ハードウェア構成要素、およびコンピュータ・ソフトウェア構成要素のうちの１つまたは複数など、複数の構成要素を備えることができる。いくつかのそのような構成要素は、機器内で結合されても、または分割されてもよい。
【００３６】
一例では、本機器は、１つまたは複数のコンピュータ可読信号担持媒体を利用することができる。コンピュータ可読信号担持媒体は、１つまたは複数の実施形態の１つまたは複数の部分を実施するためのソフトウェア、ファームウェアおよび／またはアセンブリ言語を記憶することができる。一例では、コンピュータ可読信号担持媒体は、磁気データ記憶媒体、電気的データ記憶媒体、光データ記憶媒体、生物学的データ記憶媒体、および原子データ記憶媒体のうちの１つまたは複数を備えることができる。例えば、コンピュータ可読信号担持媒体は、フロッピー（登録商標）・ディスク、磁気テープ、ＣＤ−ＲＯＭ、ＤＶＤ−ＲＯＭ、ハード・ディスク・ドライブ、および電子メモリを備えることができる。
【００３７】
本明細書で説明されたステップまたは動作は、例示だけである。本発明の趣旨から逸脱することなく、これらのステップまたは動作に対する多くの変形形態があり得る。例えば、諸ステップは、異なる順序で実施されてもよく、あるいは、ステップが追加、削除、または変更されてもよい。
【００３８】
本発明の諸例示的実施形態が、本明細書で詳細に図示され説明されてきたが、本発明の趣旨から逸脱することなく、様々な変更、追加、代替などが行われることができ、したがって、これらは添付の特許請求の範囲によって規定された本発明の範囲の中にあるとみなされることが、当業者には明らかであろう。
【図面の簡単な説明】
【００３９】
【図１】本方法およびアプリケーションの一実施形態が利用される電気通信ネットワーク１００を示す図である。
【図２】境界を有するエリア、および現在境界の中にある被追跡被呼側端末を示す図である。
【図３】追跡される被呼側端末がそれに沿って動く予め決められた経路を有する地図を示す図である。
【図４】本方法の一実施形態を示す図である。
【図５】リングバック・サービスが呼のためにアクティブであることを判定する図４のステップを示す図である。
【図６】リングバック・トーン・プラットフォームに呼を出し、ジオフェンシングの適用可能性を判定する図４のステップを示す図である。
【図７】被呼モバイル端末の位置決定を達成する図４のステップを示す図である。
【図８】ジオフェンスに関して被呼モバイル端末の位置を判定する図４のステップを示す図である。
【図９】被呼モバイル端末の位置に基づいて呼のために関連リングバック・トーンをプレイする図４のステップを示す図である。
【図１】
2009539315.tif 000003
【図２】
2009539315.tif 000004
【図３】
2009539315.tif 000005
【図４】
2009539315.tif 000006
【図５】
2009539315.tif 000007
【図６】
2009539315.tif 000008
【図７】
2009539315.tif 000009
【図８】
2009539315.tif 000010
【図９】
2009539315.tif 000011
【国際調査報告】
2009539315.tif 000012
2009539315.tif 000013
2009539315.tif 000014